(57)【要約】【課題】配管の防振施工の工程を大幅にカットさせた新しい構造の防振吊り金具である。【解決手段】穴部２７にリング状ゴム製体２８を嵌入させた天板２１の両端側に垂下状の上片２２，２２及び幅狭な下片２４，２４を形成し、この下辺２４，２４に続いて互いに内側に向かう傾斜片２５，２５を経て垂下状に接合し合う垂直片２６，２６を形成し、この垂直片２６，２６の下端に金属穴３０を設けた防振吊り金具である。【選択図】　図２
0003099025.tif 000002
【実用新案登録請求の範囲】
【請求項１】
平らな天板２１に設けた穴部２７に裏面側よりリング状ゴム製体２１を嵌入させ、
前記天板２１の両端側に垂下状の上片２２，２２及び幅狭な下片２４，２４を形成し、
前記下辺２４，２４に続いて互いに内側に向かう傾斜片２５，２５を経て垂下状に接合し合う垂直片２６，２６を形成し、
前記垂直片２６，２６の下端に金属穴３０を設けたことを特徴とする防振吊り金具。
【請求項２】
上片２２，２２及び下片２４，２４との間に円弧部２３が形成してあること特徴とする請求項１記載の防振吊り金具。
【請求項３】
上片２２，２２及び下片４２，４２との間に幅狭な角状部４３が形成してあること特徴とする請求項１記載の防振吊り金具。
【請求項４】
上面がリング状薄膜体２８ａであり、
中央がリング状肉厚体２８ｂであると共に、
下面がリング状金属体２９ａであることを特徴とする請求項１，２又は３記載の防振吊り金具。
【考案の詳細な説明】
【０００１】
【考案の属する技術分野】
本考案は、配管の防振施工の工程を大幅にカットさせた新しい構造の防振吊り金具に関するものである。
【０００２】
【従来の技術】
従来、建物内の天井裏等に設けている吊り配管などに防振施工を施すには、図５に示す例が知られている。これを説明すると、天井１に全ねじなどの吊りボルト２ａを配し、これに従来型の吊り金具３を介して複数個の支持具４（図面では支持具４は１個）により配管５を支持するバンド体６が取り付けられている。
【０００３】
この構成を詳しく説明すると、上記吊りボルト２ａの下端部には、従来型の四辺形状の吊り金具３の上端部３ａがナット７ａにより防振ゴム７ｂで支持させている。また、この吊り金具３の下端部３ｂがナット７ｃにより吊り金具３の防振ゴム７ｄを支持させてある吊りボルト２ｂの上端部を配し、さらに吊りボルト２ｂの下端部には、ナット７ｅを介して支持具４が取り付けてある。
【０００４】
そして、この支持具４には、その両端部にバンド体６を介して配管５を支持するようにしてあり、８はバンド体６を支持しているボルト杆である。
【０００５】
【考案が解決しようとする課題】
しかしながら、従来型の吊り金具３では、その上・下端部３ａ，３ｂの２ケ所において吊りボルト２ａ，２ｂを使用しているため、その工程が煩雑になり、手間が大幅に増え、工期が短縮されない欠陥がある。また、この工期が大幅に増えるために施工時の人件費が増えなどの欠陥がある。
【０００６】
しかも、この従来型の吊り金具３では、その上端部３ａの両端側に続く側面側３ｃ，３ｃが上端部３ａと同じ幅面であり、幅面が広いため、上手い具合にスパナなどの治具が直接的に使用できない形状に加工されており、配管時のレベル調整が簡易に行えない欠陥がある。また、従来型の工法では、この吊り金具３と支持具４とが必要なため、スラブ・デッキ面から比較的短い長さにて施工することができない欠陥があるなど多様な課題があった。
【０００７】
本考案は、上記する課題を解決するために、従来工程に比べ大幅に工期が短縮され、工期の短縮に伴い施工時の人件費などが大きく減り、コストも大幅に削減されている。また、そのリング状ゴム製体の位置調整は、下片が幅狭なため、スパナなどの治具がストレートに直接接触させて調整でき、スラブ・デッキからの短い位置での調整が可能となり、狭い天井スペース内に配管ができる。しかも、そのサイズは、配管の口径ごとに水管荷重が考慮してあるため、そのサイズ選定が大変楽になる金具を提出することを目的とするものである。
【０００８】
【課題を解決するための手段】
このような目的を達成するため、本考案に係る第１の考案は、平らな天板２１に設けた穴部２７に裏面側よりリング状ゴム製体２１を嵌入させ、前記天板２１の両端側に垂下状の上片２２，２２及び幅狭な下片２４，２４を形成し、前記下辺２４，２４に続いて互いに内側に向かう傾斜片２５，２５を経て垂下状に接合し合う垂直片２６，２６を形成し、前記垂直片２６，２６の下端に金属穴３０を設けたことを特徴とする。
【０００９】
第２の考案は、上片２２，２２及び下片２４，２４との間に円弧部２３が形成してあること特徴とする。
【００１０】
第３の考案は、上片２２，２２及び下片４２，４２との間に幅狭な角状部４３が形成してあること特徴とする。
【００１１】
第４の考案は、上面がリング状薄膜体２８ａであり、中央がリング状肉厚体２８ｂであると共に、下面がリング状金属体２９ａであることを特徴とする。
【００１２】
【作用】
第１の考案によれば、従来工程に比べ大幅に工期が短縮され、工期の短縮に伴い施工時の人件費などが大きく減り、コストも大幅に削減される。また、そのゴム体の位置調整は、スパナなどの治具で簡便に調整できるように加工され、スラブ・デッキからの短い位置での調整が可能となり、狭い天井スペース内に配管ができる。さらに、その各サイズは、配管の口径ごとに水管荷重が考慮してあるため、サイズ選定が大変楽になるなどの利点がある。
【００１３】
第２の考案によれば、そのリング状ゴム製体の位置調整は、下片が上片より幅狭であり、スパナなどの治具がストレートに直接接触させて調整でき、スラブ・デッキからの短い位置での調整が可能となり、狭い天井スペース内に配管ができる利点がある。
【００１４】
第３の考案によれば、平らな天板に設けた穴部に嵌合させるリング状ゴム製体は、下面のリング状金属体を除き、その他はゴム製であるから弾力性があり、安価に製作できる利点がある。
【００１５】
【考案の実施の形態】
以下、本考案の実施形態を図面を参照して説明する。図１は、本考案に係る防振吊り金具の第一実施形態の斜視図、図２は、同使用状態を示す断面図、図３は、同使用状態を示す説明図、図４は、第二実施形態の斜視図である。
【００１６】
図１から図３は、本考案に係る第一の実施形態を示す。図に示す本考案の防振吊り金具２０は、平らな天板２１の両端側に上片２２，２２を介して、例えば半円弧部２３を経て前記上片２２と略同一な形状の幅狭な下片２４，２４が形成してある。
【００１７】
そして、これに続いて互いに内側に緩い傾斜片２５，２５を折り曲った後に垂下状に接合し合う垂直片２６，２６が形成されている。また、この天板２１の略中央に設けた穴部２７にリング状ゴム製体２８が嵌め込んであり、このゴム製体２８には、裏面側から上面の薄膜体２８ａが穴部２７に嵌め込んであると共に、中央のリング状肉厚体２８ｂに続く下面の金属体２９は、リング状の穴部２９ａが形成してある。
【００１８】
図２は、その使用状態を示す断面図であり、天井３１からの吊りボルト３２ａの下端部にナット３３，３３を介して防振吊り金具２０にリング状ゴム製体２８を支持させてある。つまり、吊りボルト３２ａの下端部にナット３３，３３を介して天板２１の穴部２７に配したリング状ゴム製体２８が支持させてある。なお、ナット３３，３３は、２個使用してナットの支持を強固にした方が好ましいが、１または３個以上でもよいこと勿論である。
【００１９】
そして、防振吊り金具２０の下端部に設けた金具穴３０，３０には、ボルト３４とナット３５を介して略円弧状を描く互いのバンド体３６により配管３７を支持させてある。
【００２０】
図３は、第一例の使用状態を示す説明図であり、複数個の吊りボルト３２ａ，３２ａ，…に吊り下げた防振吊り金具２０，２０，…が支持され、これに配管３７を支持させてある。この防振吊り金具２０及び次に説明する防振吊り金具４０の素材は、鈑板やステンレス鋼板などの板材が好ましいものである。
【００２１】
図４に示す防振吊り金具４０は、第二の実施形態であり、基本的には第一の例と同じであるが、両端側の上片４１，４１に続く幅狭な下片４２，４２の接合部が略円弧部ではなく、図示するように角状部４３，４３に形成して単なる幅狭形状に形成してあるが、その他の構成に変化はない。なお、図示省略するが、この角状部４３，４３から直接傾斜状の幅狭形状に形成してもよいものである。
【００２２】
【考案の効果】
本考案は、以上の構成からなり、次のような効果がある。
▲１▼　本考案の防振吊り金具は、その下端部の金具穴に吊りバンドを介して配管が支持できるため、従来工程に比べ大幅に工期が短縮される効果がある。
▲２▼　本考案の防振吊り金具を使用することにより、工期の短縮に伴い施工時の人件費などが大きく減り、コストも大幅に削減される効果がある。
▲３▼　本考案の防振吊り金具は、その両端側の下片がそれぞれ幅狭に形成されているからスパナなどの治具で直接ストレートに接触させて調整できるようになり、その位置調整が簡便な効果がある。
▲４▼　本考案の防振吊り金具を使用すると、スラブ・デッキからの短い位置での調整が可能となり、狭い天井スペース内に配管ができる効果がある。
▲５▼　本考案の防振吊り金具のサイズは、配管の口径ごとに水管荷重が考慮してあるため、そのサイズ選定が大変楽になる効果がある。
【図面の簡単な説明】
【図１】本考案に係る防振吊り金具の第一実施形態の斜視図。
【図２】同使用状態を示す断面図。
【図３】同使用状態を示す説明図。
【図４】第二実施形態の斜視図。
【図５】従来型を示す吊り金具の斜視図。
【符号の説明】
２１　　　天板
２２　　　上片
２４　　　下片
２５　　　傾斜片
２６　　　垂直片
２７　　　穴部
２８　　　リング状ゴム製体
３０　　　金属穴
【図１】
0003099025.tif 000003
【図２】
0003099025.tif 000004
【図３】
0003099025.tif 000005
【図４】
0003099025.tif 000006
【図５】
0003099025.tif 000007